(57)【要約】【課題】  患者が病室にいない場合はそれを通知でき、更には居場所を表示することができるナースコールシステムを提供する【解決手段】  病院内の共用部、検査室、病室を含む多数の場所に設置されて、位置情報を発信するＩＭＥＳ送信機９と、患者が身につけて受信したＩＭＥＳ送信機９の発信信号を基に自身の位置情報を生成して送信する位置送信端末１０と、病院内の適宜位置に設置されて携帯端末４及び位置送信端末１０の送信信号を受信する基地局６と、患者と位置送信端末１０との関係を記憶しており、基地局６が受信した位置送信端末１０の信号から患者位置を把握して蓄積するＩＭＥＳ管理装置１１とを具備し、廊下灯２は病室の患者の位置情報をＩＭＥＳ管理装置１１から入手し、入手した位置情報から患者が病室外に居る場合には不在であることを表示する。【選択図】  図１
2018056712.tif 000002
【特許請求の範囲】
【請求項１】
患者が看護師を呼び出すためにベッド毎に設置されたナースコール子機と、ナースコール子機からの呼び出しに看護師が応答するためにナースステーションに設置されたナースコール親機と、病室毎に設置されて対応する病室の患者情報を表示すると共に、患者からの呼出発生を表示する廊下灯とを有するナースコールシステムにおいて、
病院内の共用部、検査室、病室を含む多数の場所に設置されて、設置場所の位置情報を発信する位置情報発信機と、
患者が身につけて、前記位置情報発信機の発信情報を基に、自身の位置情報を生成して送信する位置送信端末と、
病院内の適宜位置に設置されて前記位置送信端末の送信信号を受信する受信機と、
患者と前記位置情報発信機との関係を記憶して、前記受信機が受信した位置送信端末の信号から患者位置を把握して蓄積する位置情報管理装置とを具備し、
前記廊下灯は、対応する病室の患者の位置情報を前記位置情報管理装置から入手する患者場所情報入手部と、入手した位置情報から患者が病室外に居ることが判明したら不在であることを表示する不在表示部を具備することを特徴とするナースコールシステム。
【請求項２】
前記廊下灯は、液晶画面から成る患者情報表示部を有し、
前記不在表示部が前記患者情報表示部であって、不在表示している患者に関して所定の表示操作を受けたら前記患者情報表示部に病室外に居る患者の具体的居場所を表示する表示制御部を有することを特徴とする請求項１記載のナースコールシステム。
【請求項３】
前記廊下灯はＩＤ入力部を有し、前記所定の表示操作が所定のＩＤ入力を伴うことを特徴とする請求項２記載のナースコールシステム。
【請求項４】
患者が看護師を呼び出すためにベッド毎に設置されたナースコール子機と、ナースコール子機からの呼び出しに看護師が応答するためにナースステーションに設置されたナースコール親機と、病室毎に設置されて設置した病室の患者情報を表示すると共に、患者からの呼出発生を表示する廊下灯とを有するナースコールシステムにおいて、
前記ナースコール子機と対を成すようにベッド毎に設置されて、ベッド上の患者自身或いは看護師が患者関連情報を確認するための表示部を備えたベッドサイド端末と、
病院内の共用部、検査室、病室を含む多数の場所に設置されて、設置場所の位置情報を発信する位置情報発信機と、
患者が身につけて、前記位置情報発信機の発信情報を基に、自身の位置情報を生成して送信する位置送信端末と、
病院内の適宜位置に設置されて前記位置送信端末の送信信号を受信する受信機と、
患者と前記位置情報発信機との関係を記憶して、前記受信機が受信した位置送信端末の信号から患者位置を把握して蓄積する位置情報管理装置とを具備し、
前記ベッドサイド端末は、設置されたベッドに関連付けられている患者の位置情報を前記位置情報管理装置から入手する患者場所情報入手部を有して、入手した位置情報から患者が病室外に居ることが判明したら不在であることを前記表示部に表示する表示制御部を有することを特徴とするナースコールシステム。
【請求項５】
前記ベッドサイド端末の前記表示制御部は、前記表示部が不在表示を実施している場合に、所定の表示操作を受けたら病室外に居る患者の具体的居場所を表示することを特徴とする請求項４記載のナースコールシステム。
【請求項６】
前記ベッドサイド端末はＩＤ入力部を有し、前記所定の表示操作が所定のＩＤ入力を伴うことを特徴とする請求項５記載のナースコールシステム。
【請求項７】
患者からの呼び出しに看護師が応答するための携帯端末を有すると共に、病院内の適宜位置に前記携帯端末と通信する基地局が設置されて成り、
前記位置情報発信機は自身の位置信号をＩＭＥＳ信号で発信し、
前記ＩＭＥＳ信号を受けて前記位置送信端末が送信する自身の位置情報信号が、ＩＭＥＳに基づくＧＰＳ測位信号であって、前記携帯端末の通信電波と共通する信号で送信し、
前記受信機が前記基地局であることを特徴とする請求項１乃至６の何れかに記載のナースコールシステム。
【発明の詳細な説明】
【技術分野】
【０００１】
本発明は、ベッドに伏す患者が看護師を呼び出して通話するためのナースコールシステムに関する。
【背景技術】
【０００２】
徘徊癖のある入院患者の居場所を特定可能としたナースコールシステムがある。例えば特許文献１では、患者に高周波信号を間欠発信する無線ペンダントを携行させると共に、病室毎に設置されている廊下灯に無線ペンダントの高周波信号を受信するための無線基地局を配置して、無線ペンダントの位置を廊下灯の設置間隔の範囲で把握して患者の位置を把握可能とした。
【０００３】
一方で、ＧＰＳ測位技術をＧＰＳ衛星電波の届かない屋内に対しても適用可能とした技術としてＩＭＥＳ（Indoor MEssaging System）がある。この技術を用いることで、屋内においてもＧＰＳ測位機能を具備した端末を管理対象の人物が身につければ、屋内においても人物の位置が把握できた（例えば、特許文献２参照）。
【先行技術文献】
【特許文献】
【０００４】
【特許文献１】特開２００２−９９５７号公報
【特許文献２】特開２０１１−１４５８７３号公報
【発明の概要】
【発明が解決しようとする課題】
【０００５】
入院している患者は、談話室や共用部に出かけて見舞客や知り合いと談話する。そのため、徘徊癖が無くても自立歩行できる患者はベッドに居ない場合が多々あり、看護師が患者に処置をしたり医師が検査をする場合、患者がベッドにいなければ探し回ることがあった。
そのため、上記特許文献１の技術を全ての患者に適用すれば、探し回る必要が無くなると考えられるが、無線ペンダントの位置情報は廊下灯を介してナースコール親機に伝送されて、ナースコール親機において位置が表示される。そのため、廊下灯と制御機との間の伝送線（ＬＡＮ回線）の負担が大きくなるし、廊下灯のない検査室等に患者が居る場合は、場所検知が難しかった。
また、ナースステーションでしか患者の居場所を知ることができないため、見舞客が利用できず有効に利用されてはいなかった。
【０００６】
そこで、本発明はこのような問題点に鑑み、患者が病室に見当たらない場合はその場で在/不在を確認できること、更には看護師に加えて見舞客も居場所まで知ることができるナースコールシステムを提供することを目的としている。
【課題を解決するための手段】
【０００７】
上記課題を解決する為に、請求項１の発明は、患者が看護師を呼び出すためにベッド毎に設置されたナースコール子機と、ナースコール子機からの呼び出しに看護師が応答するためにナースステーションに設置されたナースコール親機と、病室毎に設置されて対応する病室の患者情報を表示すると共に、患者からの呼出発生を表示する廊下灯とを有するナースコールシステムにおいて、病院内の共用部、検査室、病室を含む多数の場所に設置されて、設置場所の位置情報を発信する位置情報発信機と、患者が身につけて、位置情報発信機の発信情報を基に、自身の位置情報を生成して送信する位置送信端末と、病院内の適宜位置に設置されて位置送信端末の送信信号を受信する受信機と、患者と位置情報発信機との関係を記憶して、受信機が受信した位置送信端末の信号から患者位置を把握して蓄積する位置情報管理装置とを具備し、廊下灯は、対応する病室の患者の位置情報を位置情報管理装置から入手する患者場所情報入手部と、入手した位置情報から患者が病室外に居ることが判明したら不在であることを表示する不在表示部を具備することを特徴とする。
この構成によれば、患者が病室から出ている場合は廊下灯において不在表示が成されるため、看護師や見舞客はそれを見て病室には居ないことを認識できるので、ナースステーションまで行って確認する必要がなくなる。また、見舞客においては患者がいないことで病室を間違えたのではと不安になることもない。
【０００８】
請求項２の発明は、請求項１に記載の構成において、廊下灯は、液晶画面から成る患者情報表示部を有し、不在表示部が患者情報表示部であって、不在表示している患者に関して所定の表示操作を受けたら患者情報表示部に病室外に居る患者の具体的居場所を表示する表示制御部を有することを特徴とする。
この構成によれば、廊下灯において病室に居ない患者の具体的居場所が表示されるため、探し出す必要がないし安心できる。
【０００９】
請求項３の発明は、請求項２に記載の構成において、廊下灯はＩＤ入力部を有し、所定の表示操作が所定のＩＤ入力を伴うことを特徴とする。
この構成によれば、患者の居場所を表示させるにはＩＤの入力を必要とするため、特定の人しか患者の居場所を確認することができない。よって、人目に付く廊下灯で患者情報を表示しても患者のプライバシーに配慮できる。
【００１０】
請求項４の発明は、患者が看護師を呼び出すためにベッド毎に設置されたナースコール子機と、ナースコール子機からの呼び出しに看護師が応答するためにナースステーションに設置されたナースコール親機と、病室毎に設置されて設置した病室の患者情報を表示すると共に、患者からの呼出発生を表示する廊下灯とを有するナースコールシステムにおいて、ナースコール子機と対を成すようにベッド毎に設置されて、ベッド上の患者自身或いは看護師が患者関連情報を確認するための表示部を備えたベッドサイド端末と、病院内の共用部、検査室、病室を含む多数の場所に設置されて、設置場所の位置情報を発信する位置情報発信機と、患者が身につけて、位置情報発信機の発信情報を基に、自身の位置情報を生成して送信する位置送信端末と、病院内の適宜位置に設置されて位置送信端末の送信信号を受信する受信機と、患者と位置情報発信機との関係を記憶して、受信機が受信した位置送信端末の信号から患者位置を把握して蓄積する位置情報管理装置とを具備し、ベッドサイド端末は、設置されたベッドに関連付けられている患者の位置情報を位置情報管理装置から入手する患者場所情報入手部を有して、入手した位置情報から患者が病室外に居ることが判明したら不在であることを表示部に表示する表示制御部を有することを特徴とする。
この構成によれば、患者が病室から出ている場合はベッドサイド端末において不在表示が成されるため、看護師や見舞客はそれを見て病室には居ないことを認識できるので、ナースステーションまで行って確認する必要がなくなる。また、見舞客においては患者がいないことで病室を間違えたのではと不安になることもない。
【００１１】
請求項５の発明は、請求項４に記載の構成において、ベッドサイド端末の表示制御部は、表示部が不在表示を実施している場合に、所定の表示操作を受けたら病室外に居る患者の具体的居場所を表示することを特徴とする。
この構成によれば、不在表示のベッドサイド端末において、所定の操作をすれば病室に居ない患者の具体的居場所が表示されるため、探し出す必要がないし安心できる。
【００１２】
請求項６の発明は、請求項５に記載の構成において、ベッドサイド端末はＩＤ入力部を有し、所定の表示操作が所定のＩＤ入力を伴うことを特徴とする。
この構成によれば、患者の居場所を表示させるにはＩＤの入力を必要とするため、特定の人しか患者の居場所を確認することができない。よって、患者のプライバシーに配慮できる。
【００１３】
請求項７の発明は、請求項１乃至６の何れかに記載の構成において、 患者からの呼び出しに看護師が応答するための携帯端末を有すると共に、病院内の適宜位置に携帯端末と通信する基地局が設置されて成り、位置情報発信機は自身の位置信号をＩＭＥＳ信号で発信し、ＩＭＥＳ信号を受けて位置送信端末が送信する自身の位置情報信号が、ＩＭＥＳに基づくＧＰＳ測位信号であって、携帯端末の通信電波と共通する信号で送信し、受信機が基地局であることを特徴とする。
この構成によれば、病院内に構築した携帯端末の通信網を使用して位置送信端末の位置、即ち患者の位置を特定できるので、位置送信端末との通信網を別途設ける必要がない。
【発明の効果】
【００１４】
本発明によれば、患者が病室から出ている場合は廊下灯或いはベッドサイド端末において不在表示が成されるため、看護師や見舞客はそれを見て病室には居ないことを認識できる。また、見舞客においては患者がいないことで病室を間違えたのではと不安になることもない。更に、不在表示に対しては所定の操作により病室に居ない患者の具体的居場所が表示されるため、探し出す必要がないし安心できる。
【図面の簡単な説明】
【００１５】
【図１】本発明に係るナースコールシステムの一例を示す構成図である。
【図２】ＩＭＥＳ送信機の配置状態を示す病棟レイアウト説明図である。
【図３】ＩＭＥＳ管理装置の機能ブロック図である。
【図４】廊下灯の機能ブロック図である。
【図５】ベッドサイド端末の機能ブロック図である。
【図６】廊下灯の表示例を示す説明図であり、（ａ）は病室外に出ている患者が１名いる場合の表示、（ｂ）はその患者の具体的な場所を表示している状態を示している。
【図７】ベッドサイド端末の表示例を示す説明図である。
【発明を実施するための形態】
【００１６】
以下、本発明を具体化した実施の形態を、図面を参照して詳細に説明する。図１は本発明に係るナースコールシステムの一例を示す構成図であり、１はベッド毎に設置されて患者が看護師を呼び出すためのナースコール子機、２は病室毎に設置されて患者情報を表示すると共に呼出発生を報知し、更に呼出信号を中継する廊下灯、３はナースステーションに設置されてナースコール子機１による呼び出しを報知すると共に呼び出しに応答する機能を備えたナースコール親機、４はナースコール子機１からの呼び出しに応答するために個々の看護師が携行するスマートフォン等の携帯端末、５は機器間の通信を制御する制御機、６は携帯端末４及び後述する位置送信端末１０と通信するアクセスポイント等の基地局、７は携帯端末４と基地局６の間の通信に加えて、後述する位置送信端末１０と基地局６との間の通信を制御するＩＰ−ＰＢＸから成る交換機、８はナースコール子機１と対を成すようにベッドサイドに設置されて、ベッド上の患者自身或いは看護師が患者関連情報を確認するためのベッドサイド端末、１３はナースコールシステムを管理する管理ＰＣである。
【００１７】
また、９はＩＭＥＳ技術を適用して自身の位置信号であるＩＭＥＳ信号を発信するＩＭＥＳ送信機、１０はＩＭＥＳ送信機からＩＭＥＳ信号を受信して自身の位置情報を発信する位置送信端末、１１は個々のＩＭＥＳ送信機９の発信信号を管理すると共に位置送信端末１０の位置を管理するＩＭＥＳ管理装置であり、ＩＭＥＳ送信機９と位置送信端末１０とＩＭＥＳ管理装置１１と基地局６とで患者位置を特定する位置特定システムを構成している。
【００１８】
図２はＩＭＥＳ送信機９の配置例を示す病棟レイアウト図であり、ＩＭＥＳ送信機９は図２に示すように、個々の病室Ｅ１、ナースステーションであるスタッフステーションＥ２、廊下Ｅ３の適宜場所、浴室Ｅ４、トイレＥ５、手術室Ｅ６、共用部、待合室等に設置され、位置送信端末１０が自身の位置を詳細に把握できるよう配置されている。
【００１９】
そして、廊下灯２、ナースコール親機３、ベッドサイド端末８、制御機５、管理ＰＣ１３は、ＨＵＢ１２を介してＬＡＮ配線Ｌ１により互いに接続されている。また、ナースコール子機１は病室毎に伝送線Ｌ２を介して廊下灯２に接続されている。
一方、ＩＭＥＳ送信機９とＩＭＥＳ管理装置１１とは通信線Ｌ４で接続され、管理ＰＣ１３とＩＭＥＳ管理装置１１とは通信線Ｌ５で接続され協働するよう構成されている。尚、通信線Ｌ４はナースコール親機３が接続されているＬＡＮ配線Ｌ１とは独立したＬＡＮ配線で構成されているが、一体化することも可能である。
【００２０】
以下、主要機器を順に説明する。ナースコール子機１は、ベッド上に配置される呼出握りボタン１ａと、壁面に設置されて呼出握りボタン１ａが接続されるプレート子機１ｂとから成り、プレート子機１ｂには通話の為のマイク、スピーカが組み込まれている。
また、ナースコール親機３は、患者情報の一覧を始め各種情報を表示する第１表示部３ａ、呼出元情報を表示する第２表示部３ｂ、呼び出しに応答するためのハンドセット３ｃ等を備えている。
【００２１】
位置特定システムを構成するＩＭＥＳ送信機９は、ＩＭＥＳ管理装置１１の制御により、ＩＭＥＳ信号（位置信号）をＧＰＳ衛星から発信される位置情報信号と共通する信号形態で常時発信する。
一方、位置送信端末１０は、ＧＰＳ衛星電波を受信して自身の位置情報を送信する機能を有している。具体的に、ＧＰＳ電波を受信して自身の位置を特定し、特定した位置情報に自身のＩＤを付加して発信するＧＰＳ通信部が内蔵されている。この機能により、屋内においてはＩＭＥＳ送信機９が発している位置情報信号を受信し、この信号を基に自身の位置情報を発信する。尚、位置送信端末１０は、例えば腕時計のように腕に装着可能な構成であったり、首に掛けるペンダント形状であったり、患者が身に付け易い形状となっている。
【００２２】
またＩＭＥＳ管理装置１１は、図３の機能ブロック図に示すよう構成されている。図３に示すように、位置送信端末１０が発信する位置情報を記憶する位置送信端末位置記憶部１１１、この位置情報と病棟内の場所の関連付けを記憶する場所記憶部１１２、位置送信端末１０と患者との関係を記憶する位置送信端末テーブル記憶部１１３、ＩＭＥＳ管理装置１１を制御するＩＭＥＳ管理装置ＣＰＵ１１４、ＩＭＥＳ送信機９及び管理ＰＣ１３と通信するＩＭＥＳ管理装置ＩＦ１１５等を有している。
そして、ＩＭＥＳ管理装置ＣＰＵ１１４は、基地局６が受信した位置送信端末１０の場所情報信号を管理ＰＣ１３を介して入手し、各位置送信端末１０の位置を管理するとともに、各ＩＭＥＳ送信機９の発信信号を管理する。
【００２３】
図４は廊下灯２の機能ブロック図を示している。廊下灯２は、図４に示すように病室内の患者氏名等の患者情報を表示する液晶画面から成る患者情報表示部２ａ、病室内の患者によりナースコール子機１を使用した呼び出しが発生したらそれを通知する表示灯２ｂ、取得した患者情報を記憶する患者情報記憶部２２、患者情報を表示させるためのＩＤ情報を受信するＩＤ受信部２３、ＩＭＥＳ管理装置１１と通信して患者の場所情報を定期的に入手する制御を行うと共に廊下灯を制御する廊下灯ＣＰＵ２４、ナースコール子機１や制御機５と通信する廊下灯ＩＦ２５等を備えている。
【００２４】
但し、患者情報表示部２ａは常時患者氏名等の患者情報を表示することをせず、所定の表示操作がなされたら患者情報を表示する。例えば、ＩＤ受信部２３がＲＦＩＤカード（図示せず）等のＩＤカードからＩＤ情報を読み取る機能を有しており、ＩＤ受信部２３が受信したＩＤ情報が廊下灯２に予め登録されているＩＤであったら、廊下灯ＣＰＵ２４の制御により患者情報表示部２ａに患者氏名等が表示される。また、後述するように不在表示されている患者の場合は、所定の表示操作を受けて患者情報表示部２ａには具体的な場所情報が表示される。
そのため、看護師はＩＤカード或いはＩＤ信号を発信する携帯端末４を携行しており、待受時は患者情報が表示されていなくても、廊下灯２の表示操作を携帯端末４を翳す等の操作で容易に実施できる。また見舞客に対しては、受付等でＩＤカードが貸与され、見舞先病室の廊下灯２を表示させることで容易に見舞先を確認することができる。
【００２５】
図５はベッドサイド端末８の機能ブロック図を示している。ベッドサイド端末８は、図５に示すように、各種情報を表示する液晶画面から成る表示部８ａ、表示部８ａ上に設けられたタッチパネルから成る操作部８１、取得した患者情報を記憶する患者情報記憶部８２、ＩＤ情報を受信するＩＤ受信部８３、ＩＭＥＳ管理装置１１と通信して患者の場所情報を定期的に入手する制御を行うと共に、ベッドサイド端末８を制御するベッドサイド端末ＣＰＵ８４、制御機５と通信するベッドサイド端末ＩＦ８５等を備えている。
【００２６】
ＩＤ受信部８３は廊下灯２のＩＤ受信部２３と同様であり、ＲＦＩＤカード（図示せず）等のＩＤカードからＩＤ情報を読み取る機能を有し、ＩＤ受信部８３が受信したＩＤ情報がベッドサイド端末８に予め登録されているＩＤであったら、ベッドサイド端末ＣＰＵ８４の制御により表示部８ａに患者関連情報が表示される。また、後述するように不在表示されている場合は、具体的な場所情報が表示される。
尚、患者が医療に関連しない例えば食事の献立情報や病院内情報を入手する場合は、ＩＤの入力等の表示操作は必要無く常時見ることができる。また、患者関連情報の表示や不在時の場所情報の表示は、ＩＤの入力に頼らず操作部８１を所定の操作することで表示させることもできる。
【００２７】
上記の如く構成されたナースコールシステムの動作は以下の様である。但し、呼出握りボタン１ａを使用した患者からの呼び出し、ナースコール親機３或いは携帯端末４を使用した看護師によるその応答動作は、従来と同様であるため説明を省略し、ここでは位置情報特定システムの動作を中心に説明する。
位置送信端末１０は、ＩＭＥＳ送信機９からＩＭＥＳ信号を受信すると、自身のＩＤを附加した場所情報信号を発信し、最寄りの基地局６がそれを受信する。
【００２８】
位置送信端末１０が発信した場所情報信号を受信した基地局６は、交換機７を介して制御機５に受信した位置送信端末１０の場所情報を送信し、制御機５は管理ＰＣ１３を介してＩＭＥＳ管理装置１１に転送する。
ＩＭＥＳ管理装置１１では、受信した場所情報を基にＩＭＥＳ管理装置ＣＰＵ１１４が個々の位置送信端末１０の現在位置を場所記憶部１１２から読み取り、位置送信端末位置記憶部１１１に保存する。また、場所情報信号に含まれるＩＤ情報を基に、位置送信端末１０を身につけている患者を位置送信端末テーブル記憶部１１３から読み取り、位置送信端末位置記憶部１１１に保存する。
【００２９】
一方、廊下灯２及びベッドサイド端末８は、定期的にＩＭＥＳ管理装置１１から自身に関連付けられている患者の場所情報を入手して、位置情報が病室外である場合は不在である旨を表示する。以下、具体的に説明する。
まず廊下灯２では、廊下灯ＣＰＵ２４の制御により、関連付けられている病室（設置されている病室）の患者の場所情報をＩＭＥＳ管理装置１１から定期的に入手しており、入手した情報は患者情報記憶部２２に保存される。そして、入手した情報から病室内に居るべき患者が現在病室外に居ることが判明したら、不在である旨が表示される。この表示は、患者氏名等を表示する患者情報表示部２ａに「○○は不在」等の表示が成され、図６（ａ）はこの表示例を示している。
図６では、４人部屋の病室に設置された廊下灯２の表示を示し、図６（ａ）では４人の患者のうちの１名の表示枠Ｆ１に不在であることが表示されている。
【００３０】
また、この表示状態で登録されているＩＤ情報の入力（ＩＤカード等によりＩＤ信号の入力）があると、表示操作が成されたと判断して具体的居場所が表示される。図６（ｂ）はこの表示状態を示し、患者情報表示部２ａの不在表示が成されていた表示枠Ｆ１に、現在の居場所を含む移動場所の履歴が表示される。
【００３１】
このように、患者が病室から出ている場合は廊下灯２において不在表示が成されるため、看護師や見舞客はそれを見て病室には居ないことを認識できるので、ナースステーションまで行って確認する必要がなくなる。また、見舞客においては患者がいないことで病室を間違えたのではと不安になることもない。更に、廊下灯２において病室に居ない患者の具体的居場所が表示されるため、探し出す必要がないし安心できる。
そして、患者の居場所を表示させるにはＩＤの入力を必要とするため、特定の人しか患者の居場所を確認することができない。よって、患者のプライバシーに配慮できる。
加えて、病院内に構築した携帯端末４の通信網を使用して患者の位置を特定できるので、位置送信端末１０との通信網を別途設ける必要がない。
【００３２】
一方、ベッドサイド端末８では、ベッドサイド端末ＣＰＵ８４の制御により、関連付けられているベッドの患者の場所情報をＩＭＥＳ管理装置１１から定期的に入手しており、入手した情報は患者情報記憶部８２に保存される。そして、入手した情報から患者が現在病室外に居ることが判明したら、不在である旨が表示部８ａに表示される。この表示は、例えば「○○は不在です」が表示される（図示せず）。
【００３３】
更に、この表示状態において、廊下灯２の表示操作と同様にＩＤ情報が入力されると（ＩＤカード等でＩＤが入力されると）、詳細な情報が表示される。図７はこの詳細情報を表示した状態を示し、図７に示すように表示部８ａに患者の現在の居場所を含む一定時間内の移動履歴が表示される。尚、この表示から現在は浴室付近に居ることがわかる。
【００３４】
このように、ベッドサイド端末８においても、患者が病室から出ている場合は不在表示が成されるため、看護師や見舞客はそれを見て病室には居ないことを認識できるので、ナースステーションまで行って確認する必要がなくなる。また、見舞客においては患者がいないことで病室を間違えたのではと不安になることもない。
更に、不在表示されているベッドサイド端末８において、所定の操作をすれば病室に居ない患者の具体的居場所が表示されるため、探し出す必要がないし安心できる。
そして、患者の居場所を表示させるにはＩＤの入力を必要とするため、特定の人しか患者の居場所を確認することができない。よって、患者のプライバシーに配慮できる。
【００３５】
尚、廊下灯２における患者の不在表示は、患者情報表示部２ａで表示しなくても良く、特に患者情報表示部２ａが液晶画面でない場合はＬＥＤの点灯／点滅等で表示しても良い。
また、ＩＭＥＳ管理装置１１において、位置送信端末１０の位置を管理しているが、位置送信端末位置記憶部１１１、場所記憶部１１２、位置送信端末テーブル記憶部１１３等を管理ＰＣ１３に設ければ管理ＰＣ１３において患者位置の管理が可能であるし、これらの記憶部をナースコール親機３或いは制御機５に設ければ、それらでの管理も可能である。
【符号の説明】
【００３６】
１・・ナースコール子機、２・・廊下灯、２ａ・・患者情報表示部（不在表示部）、３・・ナースコール親機、４・・携帯端末、５・・制御機、６・・基地局（受信機）、７・・交換機、８・・ベッドサイド端末、９・・ＩＭＥＳ送信機（位置情報発信機）、１０・・位置送信端末、１１・・ＩＭＥＳ管理装置（位置情報管理装置）、１３・・管理ＰＣ、２２・・患者情報記憶部、２３・・ＩＤ受信部、２４・・廊下灯ＣＰＵ（患者場所情報入手部、表示制御部）、８１・・操作部、８２・・患者情報記憶部、８３・・ＩＤ受信部、８４・・ベッドサイド端末ＣＰＵ（患者場所情報入手部、表示制御部）、１１１・・位置送信端末位置記憶部、１１２・・場所記憶部、１１３・・位置送信端末テーブル記憶部、１１４・・ＩＭＥＳ管理装置ＣＰＵ。
【図１】
2018056712.tif 000003
【図２】
2018056712.tif 000004
【図３】
2018056712.tif 000005
【図４】
2018056712.tif 000006
【図５】
2018056712.tif 000007
【図６】
2018056712.tif 000008
【図７】
2018056712.tif 000009